(57)【要約】【課題】複数の情報記録方式のカードのデータを読み取ることが可能で、データを読み取る時に、カードを装置内に取り込む必要がないカード読取装置を提供する。【解決手段】カード読取装置１００は、上面をカードの載置面とする筐体１０１と、前記載置面に設けられて当該載置面の所定の位置に載置された前記カードの移動を防止するカード移動防止手段としての突条１０２と、を備え、更に、磁気カードからデータを読み取る磁気カード読取ユニット１３０と、接触型ICカードからデータを読み取る接触IC読取ユニット１４０と、を前記載置面の上側に備え、バーコードを有するカードからデータを読み取るバーコード読取ユニット１６０と、非接触型ICカードからデータを読み取る非接触IC読取ユニット１５０と、を前記載置面の下側に備える。制御装置１７０は、前記磁気カード読取ユニット、前記接触IC読取ユニット、前記バーコード読取ユニット、及び前記非接触IC読取ユニットを制御する。【選択図】図１
2019175073.tif 000002
【特許請求の範囲】
【請求項１】
カードからデータを読み取るカード読取装置であって、
上面をカードの載置面とする筐体と、
前記載置面に設けられて当該載置面の所定の位置に載置された前記カードの移動を防止するカード移動防止手段と、を備え、
更に、磁気カードからデータを読み取る磁気カード読取手段と接触型ＩＣカードからデータを読み取る接触ＩＣ読取手段の少なくとも１つを前記載置面の上側に備え、
バーコードを有するカードからデータを読み取るバーコード読取手段と非接触型ＩＣカードからデータを読み取る非接触ＩＣ読取手段の少なくとも１つを前記載置面の下側に備え、
前記磁気カード読取手段、前記接触ＩＣ読取手段、前記バーコード読取手段、及び前記非接触ＩＣ読取手段を制御する制御手段を備えるカード読取装置。
【請求項２】
請求項１において、前記カードが前記所定の位置に載置されたことを検知するカード検知手段を更に備えるカード読取装置。
【請求項３】
請求項１または２において、前記カード移動防止手段は、前記載置面の所定の位置に載置された前記カードの周縁部に沿うように長四角形に形成した突条から成り、該突条の高さを前記カードの厚み以下としたカード読取装置。
【請求項４】
請求項１から３のいずれか１項において、前記磁気カード読取手段は、前記載置面に形成された磁気ヘッド案内用スリットを通して前記載置面の上側に配置されて前記載置面の所定の位置に載置された磁気カードの磁気ストライプに沿ってスライド可能に構成された磁気ヘッドと、前記載置面の下側に配置されて前記磁気ヘッドを前記磁気ヘッド案内用スリットに沿ってスライドさせる磁気ヘッド駆動機構と、を備えるカード読取装置。
【請求項５】
請求項１から４のいずれか１項において、前記接触IC読取手段は、前記載置面に形成されたIC接触端子案内用スリットを通して前記載置面の上側に配置されて、初期位置から前記載置面の所定の位置に載置されたICカードのICモジュールに向けてスライド可能に構成されたIC接触端子と、前記載置面の下側に配置されて前記IC接触端子を前記IC接触端子案内用ススリットに沿ってスライドさせるIC接触端子駆動機構と、を備えるカード読取装置。
【発明の詳細な説明】
【技術分野】
【０００１】
本発明はカード読取装置に関する。
【背景技術】
【０００２】
個人識別情報が電子的に記録されたID(Identification)カードは、様々な店舗、施設において広く普及している。また、IDカードは、情報記録・読取方式に応じて、磁気ストライプ式、バーコード式、接触IC式、非接触IC式等に分けることができる。
【０００３】
このようなIDカードには、現状、以下のような第１〜第３の問題点が提起されている。
【０００４】
（第１の問題点）
IDカードの読取作業は、店員が顧客からIDカードを受け取って行うか、顧客自身がカード読取装置を利用して行うかのいずれかである。しかしながら、店員によるIDカードの読取作業は、IDカードの受け渡し時間が必要であることから、会計処理時間の増加が考えられる。
【０００５】
（第２の問題点）
IDカードの読取作業は、情報記録方式毎に異なる。例えば、磁気ストライプ式IDカードの場合は、IDカードをカード読取装置の磁気ヘッド部を通過させ、バーコード式IDカードの場合はIDカードのバーコード部分をカード読取装置のバーコードスキャナに提示する、というような読取作業を行う。それゆえ、顧客が異なる情報記録方式のIDカードを複数枚所持し、別々の店舗・施設でカード読取装置を利用する場合、顧客は、IDカードの情報記録方式に応じた読取作業を都度覚える必要がある。このため、顧客は、所持するIDカードの種類（数）に比例して読取作業の負担が増大することになる。また、同一の店舗・施設において複数種類のIDカードを取り扱う場合、現状ではIDカードの種類に応じたカード読取装置がそれぞれ必要となるため、それらのカード読取装置を設置するためのスペース、及び各カード読取装置の管理が必要となる。
【０００６】
（第３の問題点）
複数種類のIDカードを同一のカード読取装置で読取可能とする単純な方法として、専用スロットにIDカードを差し込む方式のカード読取装置に別の読取方式のモジュールを追加することが挙げられる。このようなカード読取装置には、手動でIDカードを挿抜するタイプ（以下、手動式と呼ぶ）と、挿入されたIDカードに対する読取作業が終了すると、IDカードを自動で排出するタイプ（以下、自動式と呼ぶ）がある。
【０００７】
しかしながら、手動式はIDカードを持つ手指がカード読取装置に干渉するため、スロットに差し込んで読み取りに使用できるIDカードの可動領域が制限される。そのため、IDカードの全長を使用する磁気ストライプ式には適していない。また、カード読取装置の操作者によっては、IDカードの無理な挿抜といった不適切な操作による破損のリスクが存在する。一方、自動式は、装置内部でIDカード周りに異常が発生した場合、IDカードの排出異常となって、IDカードの取り出しが困難となる場合がある。さらに、IDカードの記録情報を第三者が違法に取得するスキミング行為の手口として、カード挿入口を模した読取装置（以下、スキマー）を取り付けられることがあり、スキマーの有無を判別することは容易ではない。
【先行技術文献】
【特許文献】
【０００８】
【特許文献１】特開２００４−２７２９３２号公報
【発明の概要】
【発明が解決しようとする課題】
【０００９】
上記のような第１〜第３の問題点のうち、特に第２の問題点について考慮したものが、カード処理装置として提案されている（特許文献１）。
【００１０】
このカード処理装置は、磁気ストライプ又はＩＣチップの少なくとも一方を有するカードを搬送するカード通路を内部に有する筐体と、前記筐体の正面に設けられ、前記カード通路に通じる正面開口部と、前記正面開口部から挿入された前記カードを前記カード通路に沿って搬送するカード搬送機構と、を備える。カード処理装置はまた、前記カード搬送機構により搬送される前記カードの磁気ストライプに記憶されているデータの読み取りを行う磁気カードリーダと、前記カード搬送機構により読取位置まで搬送された前記カードのＩＣチップに接触して、ＩＣチップに対するデータの読み取り又は書き込みを行う接触型ＩＣカードリーダ／ライタと、前記カードのＩＣチップとの間で電波を介し、非接触でＩＣチップに対するデータの読み取り又は書き込みを行う非接触型ＩＣカードリーダ／ライタと、を備える。
【００１１】
このカード処理装置は、店員や顧客がカードの種類を意識することなく、カードに対するデータの読み取り、書き込みが可能であるというメリットを有する。しかしながら、このカード処理装置は、正面開口部から挿入されたカードをカード搬送機構によって筐体内に収容するタイプであるため、カード搬送機構の異常等により、カードの排出異常となって、カードの取り出しが困難となる場合がある。
【００１２】
そこで、本発明の課題は、複数種類の情報記録方式のカードのデータを読み取ることが可能で、データを読み取る時に、カードを装置内に取り込む必要がないカード読取装置を提供することにある。
【課題を解決するための手段】
【００１３】
本発明の態様によれば、カードからデータを読み取るカード読取装置であって、上面をカードの載置面とする筐体と、前記載置面に設けられて当該載置面の所定の位置に載置された前記カードの移動を防止するカード移動防止手段と、を備え、更に、磁気カードからデータを読み取る磁気カード読取手段と接触型ＩＣカードからデータを読み取る接触ＩＣ読取手段の少なくとも１つを前記載置面の上側に備え、バーコードを有するカードからデータを読み取るバーコード読取手段と非接触型ＩＣカードからデータを読み取る非接触ＩＣ読取手段の少なくとも１つを前記載置面の下側に備え、前記磁気カード読取手段、前記接触ＩＣ読取手段、前記バーコード読取手段、及び前記非接触ＩＣ読取手段を制御する制御手段を備えるカード読取装置が提供される。
【発明の効果】
【００１４】
本発明によれば、複数の情報記録方式のカードのデータを読み取ることが可能で、データを読み取る時に、カードを装置内に取り込む必要がないカード読取装置を提供することができる。
【図面の簡単な説明】
【００１５】
【図１】本発明の実施形態に係るカード読取装置の構成を説明するために、装置を上方から見た外観図である。
【図２】図１のカード読取装置の主要部の概略内部構造を上方から見た図である。
【図３】図１のカード読取装置の内部機構を示した図で、（ａ）は磁気カード読取ユニットと接触IC読取ユニットの内部機構を示した図、（ｂ）は（ａ）の左側面図、（ｃ）は（ａ）の右側面図である。
【図４】図１のカード読取装置における磁気カード読取ユニットによる磁気カードの読取動作を説明するための図で、（ａ）は磁気カード載置前の上面図、（ｂ）は磁気ヘッドとその周辺部位を示した（ａ）の正面図、（ｃ）は磁気カードに対する読取動作中の上面図である。
【図５】図１のカード読取装置における接触IC読取ユニットによるICカードの読取動作を説明するための図で、（ａ）はICカード載置前の上面図、（ｂ）はIC接触端子とその周辺部位を示した（ａ）の正面図、（ｃ）はICカードに対する読取動作中の上面図である。
【図６】図１のカード読取装置の電気的な構成を示すブロック図である。
【図７】図１のカード読取装置の動作の流れを説明するためのフローチャート図である。
【発明を実施するための形態】
【００１６】
本発明の実施形態について説明する前に、本発明の概略を説明する。
【００１７】
本発明に係るカード読取装置（以下、本装置と呼ぶことがある）は、磁気ストライプ式IDカードを読取対象とする磁気カード読取ユニット、バーコード式IDカードを読取対象とするバーコード読取ユニット、接触IC式IDカードを読取対象とする接触IC読取ユニット、非接触IC式IDカードを読取対象とする非接触IC読取ユニットを搭載することができる。
【００１８】
これら４種類の読取ユニットをすべて搭載する場合、本装置は、バーコード読取ユニット、非接触IC読取ユニットを装置内部に埋め込む形で搭載し、磁気カード読取ユニットの磁気ヘッド、接触IC読取ユニットのIC接触端子はそれぞれ可動ヘッドとして装置の上面側に配置する。これにより、本装置は、一度IDカードを装置上面の所定の位置に置いて以降はIDカードの位置を変更することなく記録情報の読み取りが可能である。
【００１９】
また、本装置にはIDカードの有無を検出する近接センサ、及びIDカードの読取状態を表すインジケータが搭載されており、本装置はIDカードの載置を認識してから自動で読取動作を実行することができる。
【００２０】
本装置は更に、“読取中”、“読取完了”、“読取失敗”などの情報を操作者に提示することができる。
【００２１】
以下、図面を参照して本発明の好ましい実施形態について説明する。
【００２２】
［実施形態の構成］
図１は本発明の実施形態に係るカード読取装置１００の概略構成を上方から見た図であり、図２は図１のカード読取装置１００の主要部の概略内部構造を上方から見た図である。以下では、説明の便宜を図るために、図１において、カード読取装置１００の筐体１０１の表面として現れている面を上面と呼ぶ。そして、図１における上面の上方側の縁部を上縁部と呼び、図１における上面の左右両側の縁部をそれぞれ、左側縁部、右側縁部と呼び、図１における上面の下方側の縁部を下縁部と呼ぶ。
【００２３】
カード読取装置１００は、上位装置としての情報処理端末２００と有線または無線で接続され、カード読取装置１００から情報処理端末２００へはIDカード（以下、カードと略称することがある）の読取結果の情報D1、及び読み取った記録情報D2を送信する。読取結果の情報D1というのは、読み取りが適切に行われかどうかを示す情報である。情報処理端末２００からカード読取装置１００へはカードの読取開始の制御情報D3、読取対象となるカードの種類の指定情報D4を送信する。読取対象となるカードの種類、すなわちカード読取装置１００を構成している読取ユニットの種類（名称）はあらかじめ情報処理端末２００に登録されている。
【００２４】
図１、図２を参照して、カード読取装置１００は、筐体１０１の上面中央部のカード載置部（載置面）に、カードを載置する際の位置決めとカードの位置ずれ防止の役目を持つ突条（カード移動防止手段）１０２が長四角形となるように設けられている。長四角形の突条１０２は、載置されるカードの外縁に沿うように設けられる。突条１０２の高さは、後述する磁気ヘッドやIC接触端子の移動を妨げないように、載置されるカードの厚さ以下にされる。図１には、カードの外形を点線で示し、この種のカードは国際規格で定められている統一サイズを持つ。
【００２５】
カード読取装置１００は、図６をも参照して、電気的な構成要素として、カードの読取状態、メッセージ等を表示するために筐体１０１の上面の上縁部寄りに設置されたインジケータ１１０と、カードの載置を検出するためにカード載置部の領域内に設置された近接センサ（カード検知手段）１２０と、磁気カード読取ユニット（磁気カード読取手段）１３０と、接触IC読取ユニット（接触IC読取手段）１４０と、非接触IC読取ユニット（非接触IC読取手段）１５０と、バーコード読取ユニット１６０と、上記各部と協働してカードの読取動作を実行する制御装置１７０と、を備える。
【００２６】
インジケータ１１０には多色LED(Light-Emitting Diode)などの発光素子が搭載されており、”読取待機”、”読取中”、”読取完了”、”読取失敗”、”読取操作不可”の５つの状態のメッセージを色別に表せるものとする。
【００２７】
磁気カード読取ユニット１３０は、筐体１０１の上面から突出した状態で、カード載置部に置かれたカードの磁気ストライプ上をスライド可能に構成された磁気ヘッド１３１を有する。磁気ヘッド１３１は、筐体１０１の上縁部寄りの位置と筐体１０１の下縁部寄りの位置との間をスライド可能である。磁気ヘッド１３１のスライドを可能にするために、筐体１０１の上面にはその左側縁部に沿ってカード載置部の外側にスリット（磁気ヘッド案内用スリット）１０３が形成されている。磁気ヘッド１３１をスライドさせる駆動機構（磁気ヘッド駆動機構）は筐体１０１に内蔵されており、詳しくは図３を参照して後述する。
【００２８】
接触ＩＣ読取ユニット１４０は、筐体１０１の上面から突出した状態で、筐体１０１の上縁部寄りの位置からカード載置部に置かれたカードのICモジュールと接触する位置までスライド可能に構成されたIC接触端子１４１を有する。IC接触端子１４１は、通常、複数の端子から成る。IC接触端子１４１には、カードに接触する端部が滑らかな半球状であって、伸縮自在であるコンタクトピンを用いる。IC接触端子１４１のスライドを可能にするために、筐体１０１の上面にはその右側縁部に沿ってカード載置部の外側にスリット（IC接触端子案内用スリット）１０４が形成されている。IC接触端子１４１をスライドさせる駆動機構（IC接触端子駆動機構）も筐体１０１に内蔵されており、詳しくは図３を参照して後述する。
【００２９】
図２に示すように、非接触IC読取ユニット１５０の主たる構成要素は、カード載置部に置かれたカードに内蔵されているアンテナを介して無線通信を行うことにより、カードに内蔵されているICチップとの間で情報をやり取りするためのアンテナ１５１である。アンテナ１５１で受信した信号は、増幅器で増幅されて制御装置１７０に送られるが、この種の非接触IC読取ユニット１５０は周知であるので、これ以上の詳しい説明は省略する。ここでは、アンテナ１５１は、カード載置部に置かれたカードの外縁部に対応する長四角形状に形成されている。
【００３０】
バーコード読取ユニット１６０は、カード載置部の中央部に形成されたバーコードスキャナ読取窓１６１を通して、カード載置部に置かれたカードに付されているバーコードをスキャンするバーコードスキャナ（図示省略）を筐体１０１に内蔵して構成される。バーコードスキャナ読取窓１６１は、透明なガラス板等で形成されている。バーコードスキャナ自体は周知であるので、これ以上の詳しい説明は省略する。
【００３１】
なお、カード読取装置１００の上面側は、塵埃や異物の付着を防ぐために、磁気ヘッド１３１、IC接触端子１４１等を収容可能な空間を持つ透明なカバーで覆うことが望ましい。この場合、カバーは、筐体１０１に着脱自在にするか、カバーの一端に設けた軸を中心にして回動可能に軸支することが望ましい。
【００３２】
図３を参照して、磁気カード読取ユニット１３０及び接触IC読取ユニット１４０の内部機構について説明する。図３の（ａ）は、筐体１０１の上面を取り外して磁気カード読取ユニット１３０及び接触IC読取ユニット１４０の内部機構を示している。
【００３３】
磁気カード読取ユニット１３０は、磁気ヘッド１３１の駆動機構を持つ。
【００３４】
磁気ヘッド１３１の駆動機構は、モータ１３３と、その出力軸に取り付けた第１のプーリ１３４ａ及び磁気ヘッド１３１の可動範囲内に間隔をおいて配置した第２、第３のプーリ１３４ｂ、１３４ｃと、第１〜第３のプーリ１３４ａ〜１３４ｃに掛け渡したベルト１３５と、ベルト１３５に固定されてベルト１３５と磁気ヘッド１３１とを連結し、ベルト１３５の移動に伴って磁気ヘッド１３１をスライドさせる支持台１３６とから成る。ベルト１３５の内面側と、第１〜第３のプーリ１３４ａ〜１３４ｃのうちの少なくとも第１のプーリ１３４ａの外面側には、すべり防止のために互いに噛み合う歯が形成されていることが望ましい。なお、支持台１３６の上部側は、筐体１０１のスリット１０３を通して磁気ヘッド１３１を筐体１０１の上面側にてスライド可能にするために、スリット１０３の幅よりわずかに狭い幅となっている。
【００３５】
以上のような構成により、磁気カード読取ユニット１３０は、磁気ヘッド１３１を、カード載置部に置かれたカード（磁気カード）の磁気ストライプ上をスライドさせてカード（磁気カード）の読み取りを行うことができる。
【００３６】
接触IC読取ユニット１４０は、IC接触端子１４１の駆動機構を持つ。IC接触端子１４１の駆動機構は、その可動範囲が磁気ヘッド１３１の可動範囲より狭いことを除いて、磁気ヘッド１３１の駆動機構とほぼ同じ内部機構である。IC接触端子１４１の駆動機構は、モータ１４３と、その出力軸に取り付けた第１のプーリ１４４ａ及び第１のプーリ１４４ａと間隔をおいて配置した第２のプーリ１４４ｂと、第１、第２のプーリ１４４ａ、１４４ｂに掛け渡したベルト１４５と、ベルト１４５に固定されてベルト１４５とIC接触端子１４１とを連結し、ベルト１４５の移動に伴ってIC接触端子１４１をスライドさせる支持台１４６とから成る。ベルト１４５の内面側と、第１、第２のプーリ１４４ａ、１４４ｂのうちの少なくとも第１のプーリ１４４ａの外面側には、すべり防止のために互いに噛み合う歯が形成されていることが望ましい。支持台１４６の上部側も、筐体１０１のスリット１０４を通してIC接触端子１４１を筐体１０１の上面側にてスライド可能にするために、スリット１０４の幅よりわずかに狭い幅となっている。
【００３７】
以上のような構成により、接触IC読取ユニット１４０は、IC接触端子１４１を、カード載置部に置かれたカード（ICカード）のICモジュール上までスライドさせてカード（ICカード）の読み取りを行うことができる。
【００３８】
［実施形態の動作説明］
上述した実施形態の動作について、最初に、カード読取装置としての動作を説明する。その次に、磁気ヘッド１３１及びIC接触端子１４１の移動動作原理、各種類のカードを読み取るための動作（磁気カード、接触ICカード、バーコード搭載カード）の順で説明する。非接触ICカードの読取動作は、これまでの非接触IC読取ユニットと同じであるので説明は省略する。
【００３９】
カード読取装置としての動作を、図１、フローチャート図である図７を参照して説明する。カード読取装置としての動作は、制御装置１７０の制御下で実行される。
【００４０】
はじめに、情報処理端末２００は、カード読取装置１００（制御装置１７０）へ読取開始の制御情報D3およびカードの種類の指定情報D4によりカードの読取を開始する情報を送信する。このとき指定情報D4では、複数種類のカードのいずれか１種類の指定、複数種類のカードの指定、及び無指定（複数種類のカードすべての指定）のいずれかを指定することができる。ここでは、カードの種類を指定する情報は、磁気カード、接触ICカード、バーコード搭載カード、非接触ICカードの４種類である。複数種類のカードのいずれか１種類の指定、複数種類のカードの指定のいずれにするかの指定は、その都度、操作者により情報処理端末２００で行うことができる。操作者は、通常は、カードを所持している顧客であるが、店員であっても良い。いずれにしても、情報処理端末２００に対して指定のための操作が行われなければ、無指定の扱いとなる。
【００４１】
制御装置１７０は、情報処理端末２００からの制御情報D3および指定情報D4の受信の有無を判別し（ステップＳ１）、上記情報の受信が無ければ（ステップＳ１のＮｏ）情報D3、D4の受信判別動作に戻り、上記情報の受信有りと判別すると（ステップＳ１のＹｅｓ）、ステップＳ２に移行する。ステップＳ２では、カード読取装置１００（制御装置１７０）はカードの読み取りを待機する状態となり、インジケータ１１０に”読取待機”の状態を示す表示を指示する。この後、ステップＳ３に移行して、制御装置１７０は、近接センサ１２０からのカード検出信号待ちとなる。
【００４２】
操作者が、読取対象のカードを、磁気ストライプ、もしくはICモジュール側を上にして図１のカード載置部に置くと、近接センサ１２０がカードの載置を検出し、カード検出信号を制御装置１７０に送信する。制御装置１７０は、近接センサ１２０からカード検出信号を受信すると（ステップＳ３のＹｅｓ）、カードの種類の指定情報D4に応じて、磁気カード読取ユニット１３０、接触IC読取ユニット１４０、非接触IC読取ユニット１５０、及びバーコード読取ユニット１６０のいずれかを動作させてカードの読み取りを開始させ（ステップＳ４）、続いてインジケータ１１０に”読取中”の表示を指示する（ステップＳ５）。この時、指定情報D4が１種類であれば、それに対応する読取ユニットを動作させ、無指定であれば、磁気カード読取ユニット１３０、接触IC読取ユニット１４０、非接触IC読取ユニット１５０、バーコード読取ユニット１６０の順番で動作させ、複数種類であれば、前述の順番で、指定に対応する読取ユニットを動作させる。この後、制御装置１７０はステップＳ６に移行する。読取結果の情報D1および記録情報D2を受信した場合は（ステップＳ６のＹｅｓ）、ステップＳ７に移行する。しかし、読取結果の情報D1は受信したが、記録情報D2を受信しなかった場合は（ステップＳ６のＮｏ）、ステップＳ９に移行する。制御装置１７０は、ステップＳ７では、受信した情報D1およびD2を情報処理端末２００へ送信して、ステップ８に移行する。制御装置１７０は、ステップＳ８では、インジケータ１１０に”読取完了”または”読取失敗”のいずれかの状態の表示を指示して動作を終了する。制御装置１７０は、ステップＳ９では、複数種類のカードの指定や無指定の場合に、読取動作を行っていない読取ユニットがあるか否か判断し、読取動作を行っていない読取ユニットがない場合は（ステップＳ９のＮｏ）、ステップ８に移行し、読取動作を行っていない読取ユニットがあった場合は（ステップＳ９のＹｅｓ）、ステップ４に戻る。
【００４３】
具体的な例について説明する。カードが、例えば磁気カードで、磁気カードのみが指定されていたとする。この場合、磁気カード読取ユニット１３０は、磁気カードの読み取りが完了すると、読取結果の情報D1および読み取った記録情報D2を制御装置１７０へ送信する。カードが、接触ICカード、バーコード搭載カード、非接触ICカードであった場合も同様である。
【００４４】
なお、図７に示すように、制御装置１７０はいずれかの読取ユニットから情報D1およびD2を受信すると（ステップＳ６のＹｅｓ）、ステップＳ７へ移行して受信した情報D1およびD2を情報処理端末２００へ送信し、続いてインジケータ１１０に”読取完了”または”読取失敗”のいずれかの状態の表示を指示する（ステップＳ８）。すなわち、複数種類のカードの指定や無指定の場合でも、いずれかの読取ユニットから情報D1およびD2を受信すると、読取動作を行っていない読取ユニットがあっても、読取動作を行っていない読取ユニットでの読取動作は行わない。
【００４５】
また、図７にはステップとして示していないが、スタート後、カード読取装置１００（制御装置１７０）が情報処理端末２００から一度もカードの種類の指定情報D4を受信しない場合、カード読取装置１００（制御装置１７０）はカードの読み取りを行わない状態となり、インジケータ１１０に”読取操作不可”の状態の表示を指示する。また、カード読取装置１００（制御装置１７０）が情報処理端末２００から読取開始の制御情報D3によりカードの読み取りを停止する旨を示す情報を受信した場合にも、カード読取装置１００（制御装置１７０）はカードの読み取りを行わない状態となり、インジケータ１１０に”読取操作不可”の状態の表示を指示する。
【００４６】
次に、図３を用いて、磁気ヘッド１３１の移動動作原理について説明する。制御装置１７０からの読取開始指示（起動指示）によりモータ１３３が起動すると、第１のプーリ１３４ａが回転する。第１のプーリ１３４ａの回転によってベルト１３５が回転し、ベルト１３５の回転により支持台１３６と共に、磁気ヘッド１３１はカード（磁気カード）の磁気ストライプ上を水平方向に移動する。このようにして、磁気ヘッド１３１によるカード（磁気カード）の読み取りが行われる。
【００４７】
IC接触端子１４１の移動動作も、磁気ヘッド１３１の移動動作と同様の原理である。すなわち、制御装置１７０からの読取開始指示（起動指示）によりモータ１４３が起動すると、第１のプーリ１４４ａが回転する。第１のプーリ１４４ａの回転によってベルト１４５が回転し、ベルト１４５の回転により支持台１４６と共に、IC接触端子１４１はカード（ICカード）上をICモジュールまで水平方向に移動する。この後、IC接触端子１４１を通してカード（ICカード）のICモジュールからの情報読み取りが行われる。
【００４８】
続いて、図４を用いて、磁気カード読取ユニット１３０の読取動作について説明する。図４の（ａ）は磁気カードを載置する前のカード読取装置１００を上方から見た図であり、（ｂ）はカード読取装置１００における筐体１０１と磁気ヘッド１３１部分のみを筐体１０１の下縁部側から見た図、（ｃ）はカード読取装置１００に載置した磁気カード上を磁気ヘッドがスライドしている様子を上方から見た図である。
【００４９】
制御装置１７０の読取開始指示により磁気カード読取ユニット１３０による磁気カードの読み取りが始まると、磁気ヘッド１３１は図４（ｃ）の初期位置xから最終位置x’まで移動する。磁気ヘッド１３１は、移動中に、磁気カードの磁気ストライプに記録された情報の読み取りを行う。磁気ヘッド１３１による読取信号は増幅されて制御装置１７０に送られ、制御装置１７０で所定の読取情報に変換される。このとき、磁気ヘッド１３１と磁気カードは物理的に接触するが、接触による磁気カードの位置ずれは突条１０２により阻止される。磁気カードの読み取りが完了すると、制御装置１７０からの指示によってモータ１３３は逆回転し、磁気ヘッド１３１は元の初期位置xに戻る。
【００５０】
図５を用いて、接触IC読取ユニット１４０の読取動作について説明する。図５の（ａ）はICカードを載置する前のカード読取装置１００を上方から見た図であり、（ｂ）はカード読取装置１００における筐体１０１とIC接触端子１４１部分のみを筐体１０１の下縁部側から見た図、（ｃ）はカード読取装置１００に載置したICカードのICモジュールにIC接触端子１４１が接触している状態を上方から見た図である。
【００５１】
制御装置１７０の読取開始指示により接触IC読取ユニット１４０によるICカードの読み取りが始まると、IC接触端子１４１は図５（ｃ）の初期位置yからICカードにおけるICモジュール上の最終位置y’に移動する。その後、ICカードのICモジュールとIC接触端子１４１を介して電気的に接続して情報の読み取りを行う。読取結果は増幅されて制御装置１７０に送られ、制御装置１７０で所定の読取情報に変換される。磁気カードの読み取りと同様に、IC接触端子１４１とICカードの物理的な接触によるICカードの位置すれは、突条１０２の存在により阻止される。ICカードの読み取りが完了すると、制御装置１７０からの指示によってモータ１４３は逆回転し、IC接触端子１４１は元の初期位置yに戻る。
【００５２】
図１、図２を用いて、バーコード読取ユニットの読取動作について説明する。制御装置１７０の読取開始指示によりバーコード読取ユニット１６０によるバーコード搭載カードのバーコードの読み取りが開始されると、バーコード読取ユニット１６０のバーコードスキャナが動作を開始し、バーコードスキャナ読取窓１６１を通してカードに付されたバーコードの読み取りを行う。読取結果は増幅されて制御装置１７０に送られ、制御装置１７０で所定の読取情報に変換される。
【００５３】
なお、カードの読み取りが開始されていない間、または近接センサ１２０がカードの載置を検知していない間は、制御装置１７０は、バーコード読取ユニット１６０の動作停止状態を維持する。
【００５４】
上記の説明では、各読取ユニットの読取動作がシリアルに行われるように説明したが、制御装置１７０は、２種類以上の読取ユニットを並行して動作させるようにしてもよい。これにより、制御装置１７０は、複数種類のカードの指定や無指定の場合でも、すべての読取ユニットに読取開始を指示した後、ひとつの読取ユニットから読取結果の情報D1および読み取った記録情報D2を受け取った時点で、他の読み取り動作中の読取ユニットの読取動作を中止することができ、読取動作に要する時間を短縮することができる。
【００５５】
［実施形態の効果］
本カード読取装置を用いることにより、操作者はIDカードをカード載置部に載置する操作のみで記録情報の読み取りが可能であるため、IDカード毎に読取作業を覚える必要が無くなり、読取作業のための負担が軽減される。それに伴い、店舗などでの運用において、会計時間の短縮のために顧客自身にIDカードの認識作業をしてもらう形態へ移行する際の障壁を軽減することが可能である。
【００５６】
本カード読取装置では、IDカードから同時に複数の情報の読み取りが可能であるため、電子マネー付ポイントカードといった複数の情報が異なる記録方式で記録されたIDカードに対しても、操作者はIDカードをカード載置部に置くという単一の操作で複数の機能を利用することができる。
【００５７】
本カード読取装置では、磁気ストライプおよび非接触ICに対するスキマーの取り付けを困難とすることができると考えられる。これは以下の理由による。磁気ストライプ式の場合、スキマーを唯一取付可能な磁気カード読取ユニットに取り付けられるまでに小型化するのは困難である。一方、非接触IC式の場合、バーコード読取ユニットにスキマーを取りつけるのは他の部品（磁気カード読取ユニット、接触IC読取ユニット、バーコードスキャン読取窓１６１、近接センサ１２０等）との物理的干渉により困難である。
【００５８】
［変形例］
以上、本発明を好ましい実施形態について説明したが、以下のように構成しても良い。
【００５９】
１）載置面の上側に備えられる読取ユニットについては、読取ユニットの構成要素の一部がカードに接触したまま故障した場合に備えて、読取ユニットのカードへの接触を機械的に解除できる解除手段を、支持台１３６や支持台１４６に設けるようにしてもよい。解除手段とは、例えば、レバーを操作することによって、支持台１３６や支持台１４６の所定の箇所を支点として支持台１３６や支持台１４６の端部が上方に回動可能となり、支持台１３６や支持台１４６の端部を上方に回動させて読取ユニットのカードへの接触を機械的に解除できる構造である。
【００６０】
２）上記実施形態のカード読取装置は、載置面の上側に、磁気カード読取ユニットと接触ＩＣ読取ユニットとを備え、載置面の下側に、バーコード読取ユニットと非接触ＩＣ読取ユニットとを備えている。しかし、載置面の上側に、磁気カード読取ユニットと接触ＩＣ読取ユニットのいずれかひとつと、載置面の下側に、バーコード読取ユニットと非接触ＩＣ読取ユニットのいずれかひとつを備えるようにしてもよい。
【００６１】
［発明の他の実施形態］
上記実施形態における各読取ユニット(磁気カード読取ユニット、バーコード読取ユニット、接触IC読取ユニット、非接触IC読取ユニット)は機能的に独立している。そのため、既に存在するバーコード読取ユニットのみ、あるいは非接触IC読取ユニットのみの構成を除く、読取ユニットの全ての組み合わせについてそれぞれ別の実施形態としてあげることが可能である。
【産業上の利用可能性】
【００６２】
本発明は、PC(Personal Computer)、POS(Point of sales)等の情報処理端末と組み合わせて使用されるカード読取装置全般に適用可能である。
【符号の説明】
【００６３】
１００    カード読取装置
１０１    筐体
１０２    突条
１０３、１０４    スリット
１１０    インジケータ
１２０    近接センサ
１３０    磁気カード読取ユニット
１３１    磁気ヘッド
１３３、１４３    モータ
１３４ａ〜１３４ｃ、１４４ａ、１４４ｂ    プーリ
１３５、１４５    ベルト
１３６、１４６    支持台
１４０    接触IC読取ユニット
１４１    IC接触端子
１５０    非接触IC読取ユニット
１５１    アンテナ
１６０    バーコード読取ユニット
１６１    バーコードスキャナ読取窓
【図１】
2019175073.tif 000003
【図２】
2019175073.tif 000004
【図３】
2019175073.tif 000005
【図４】
2019175073.tif 000006
【図５】
2019175073.tif 000007
【図６】
2019175073.tif 000008
【図７】
2019175073.tif 000009
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
カードからデータを読み取るカード読取装置であって、
上面をカードの載置面とする筐体と、
前記載置面に設けられて当該載置面の所定の位置に載置された前記カードの移動を防止するカード移動防止手段と、を備え、
更に、磁気カードからデータを読み取る磁気カード読取手段と接触型ICカードからデータを読み取る接触IC読取手段のうちの少なくとも前記磁気カード読取手段を前記載置面の上側に備え、
バーコードを有するカードからデータを読み取るバーコード読取手段と非接触型ICカードからデータを読み取る非接触IC読取手段の少なくとも１つを前記載置面の下側に備え、
前記磁気カード読取手段、前記接触IC読取手段、前記バーコード読取手段、及び前記非接触IC読取手段を制御する制御手段を備え、
前記磁気カード読取手段は、前記載置面に形成された磁気ヘッド案内用スリットを通して前記載置面の上側に配置されて前記載置面の所定の位置に載置された磁気カードの磁気ストライプに沿ってスライド可能に構成された磁気ヘッドと、前記載置面の下側に配置されて前記磁気ヘッドを前記磁気ヘッド案内用スリットに沿ってスライドさせる磁気ヘッド駆動機構と、を備えるカード読取装置。
【請求項２】
請求項１において、前記接触IC読取手段は、前記載置面に形成されたIC接触端子案内用スリットを通して前記載置面の上側に配置されて、初期位置から前記載置面の所定の位置に載置されたICカードのICモジュールに向けてスライド可能に構成されたIC接触端子と、前記載置面の下側に配置されて前記IC接触端子を前記IC接触端子案内用スリットに沿ってスライドさせるIC接触端子駆動機構と、を備えるカード読取装置。
【請求項３】
カードからデータを読み取るカード読取装置であって、
上面をカードの載置面とする筐体と、
前記載置面に設けられて当該載置面の所定の位置に載置された前記カードの移動を防止するカード移動防止手段と、を備え、
更に、磁気カードからデータを読み取る磁気カード読取手段と接触型ICカードからデータを読み取る接触IC読取手段のうちの少なくとも前記接触IC読取手段を前記載置面の上側に備え、
バーコードを有するカードからデータを読み取るバーコード読取手段と非接触型ICカードからデータを読み取る非接触IC読取手段の少なくとも１つを前記載置面の下側に備え、
前記磁気カード読取手段、前記接触IC読取手段、前記バーコード読取手段、及び前記非接触IC読取手段を制御する制御手段を備え、
前記接触IC読取手段は、前記載置面に形成されたIC接触端子案内用スリットを通して前記載置面の上側に配置されて、初期位置から前記載置面の所定の位置に載置されたICカードのICモジュールに向けてスライド可能に構成されたIC接触端子と、前記載置面の下側に配置されて前記IC接触端子を前記IC接触端子案内用スリットに沿ってスライドさせるIC接触端子駆動機構と、を備えるカード読取装置。
【請求項４】
請求項１から３のいずれか１項において、前記カードが前記所定の位置に載置されたことを検知するカード検知手段を更に備えるカード読取装置。
【請求項５】
請求項１から４のいずれか１項において、前記カード移動防止手段は、前記載置面の所定の位置に載置された前記カードの周縁部に沿うように長四角形に形成した突条から成り、該突条の高さを前記カードの厚み以下としたカード読取装置。